(57)【要約】【課題】電子機器装置において、動作障害の発生を抑えつつ、電磁波の放射雑音をより一層低減できるようにする。【解決手段】電子機器装置である液晶テレビは、クロック信号を用いて液晶パネルに画像を表示する。液晶テレビは、電源投入後、液晶テレビの動作が安定するまでの間（３０秒経過するまでの間）は、クロック信号の周波数変調度を０％にし、液晶テレビの動作が安定した後（３０秒経過した後）に、クロック信号の周波数変調度を３０秒間隔で１％、２％、３％に段階的に大きくする。液晶テレビの動作が安定していない状態（動作障害が発生し易い状態）において周波数変調度０％のクロック信号に基いて動作することにより、動作障害の発生が抑えられ、一方、液晶テレビの動作が安定した状態（動作障害の発生し難い状態）においてクロック信号の周波数変調度が大きいことにより、電磁波の放射雑音の低減効果が高められる。【選択図】図６
2010039000.tif 000002
【特許請求の範囲】
【請求項１】
クロック信号に基いて動作する回路手段と、周波数変調されたクロック信号を発生する変調クロック発生手段とを備え、前記回路手段は、前記変調クロック発生手段の発生する周波数変調されたクロック信号に基いて動作する電子機器装置において、
前記変調クロック発生手段の発生するクロック信号の周波数変調度を制御するクロック変調度制御手段を備え、
前記クロック変調度制御手段は、本装置の電源投入後、前記変調クロック発生手段の発生するクロック信号の周波数変調度を連続的又は段階的に大きくするように制御する、
ことを特徴とする電子機器装置。
【請求項２】
前記クロック変調度制御手段は、本装置の電源投入後、本装置の動作が安定するまでの間は、前記変調クロック発生手段の発生するクロック信号の周波数変調度を０％にし、本装置の動作が安定した後に、前記変調クロック発生手段の発生するクロック信号の周波数変調度を連続的又は段階的に大きくするように制御する、
ことを特徴とする請求項１に記載の電子機器装置。
【請求項３】
画像を表示するための液晶パネルを備え、
前記回路手段は、前記液晶パネルを駆動する液晶駆動回路であり、前記変調クロック発生手段の発生する周波数変調されたクロック信号に基いて動作して、前記液晶パネルを駆動する、
ことを特徴とする請求項１に記載の電子機器装置。
【発明の詳細な説明】
【技術分野】
【０００１】
本発明は、クロック信号を用いて動作する電子機器装置に関するものである。
【背景技術】
【０００２】
従来から、電子機器装置として、クロック信号を用いて動作するものがある。このような電子機器装置においては、クロック信号による電磁波の放射雑音を低減するため（ＥＭＩ対策のため）に、周波数変調機能付きクロック発生回路であるＳＳＣＧ（spread spectrum clock generator）によって、周波数変調された（周波数の拡散された）クロック信号を発生させ、その周波数変調されたクロック信号に基いて他の回路（例えば画像を表示させるための回路など）を動作させるようにしたものが知られている（例えば特許文献１乃至特許文献３参照）。
【０００３】
周波数変調されていないクロック信号は、図７（ａ）（ｂ）に示すように、各パルスの立ち上がり間隔ｔ１、ｔ２、ｔ３、・・・が一定（＝基準間隔ｔｃ）であり（ｔ１＝ｔ２＝ｔ３＝・・・＝ｔｃ）、周波数ｆが拡散していない（ｆ＝１／ｔｃ）。
【０００４】
これに対して、周波数変調されたクロック信号は、図７（ｃ）（ｄ）に示すように、各パルスの立ち上がり間隔ｔ１、ｔ２、ｔ３、・・・が一定でなく（ｔ１＝ｔ４＝・・・＝ｔｃ１、ｔ２＝ｔ５＝・・・＝ｔｃ２、ｔ３＝ｔ６＝・・・＝ｔｃ３、ｔｃ１≠ｔｃ２≠ｔｃ３）、周波数ｆがｆ１＝１／ｔｃ１、ｆ２＝１／ｔｃ２、ｆ３＝１／ｔｃ３に拡散している。周波数変調されたクロック信号では、周波数ｆが拡散することにより、周波数変調されていないクロック信号と比較して、周波数スペクトラムのピーク値Ｐが低下する。クロック信号の周波数変調度が大きいほど、周波数ｆが広く拡散して、周波数スペクトラムのピーク値Ｐが大きく低下する。
【０００５】
従って、周波数変調されたクロック信号を用いることにより、周波数スペクトラムのピーク値Ｐを低下させて、クロック信号による電磁波の放射雑音を低減することができる。また、クロック信号の周波数変調度を大きくすることにより、周波数スペクトラムのピーク値Ｐを大きく低下させて、放射雑音を低減する効果を高めることができる。従来の電子機器装置では、一定の周波数変調度で周波数変調されたクロック信号を発生させて、その一定の周波数変調度で周波数変調されたクロック信号に基いて他の回路を動作させるようになっている。
【特許文献１】特開２００６−２３６４５号公報
【特許文献２】特開２００６−２３５１１８号公報
【特許文献３】特開２００６−１５４８２０号公報
【発明の開示】
【発明が解決しようとする課題】
【０００６】
ところで、周波数変調されたクロック信号は、各パルスの立ち上がり間隔ｔ１、ｔ２、ｔ３、・・・が一定でないため、周波数変調されていないクロック信号と比較すると、各パルスがジッタ成分を持つ。放射雑音を低減する効果を高めるためには、クロック信号の周波数変調度を大きくすればよいが、クロック信号の周波数変調度を大きくすると、各パルスの立ち上がり間隔ｔ１、ｔ２、ｔ３、・・・の変動量が大きくなって、各パルスの持つジッタ成分が大きくなるため、動作障害の発生に繋がり易くなる。逆に、クロック信号の周波数変調度を小さくすると、各パルスの立ち上がり間隔ｔ１、ｔ２、ｔ３、・・・の変動量が小さくなって、各パルスの持つジッタ成分が小さくなるため、動作障害の発生に繋がり難くなるが、放射雑音を低減する効果が低くなる。また、一般的に、電子機器装置は、電源投入後、電子機器装置の動作が安定するまでの間は、動作障害が発生し易い。
【０００７】
本発明は、上記課題を解決するためになされたものであり、動作障害の発生を抑えつつ、電磁波の放射雑音をより一層低減することができる電子機器装置を提供することを目的とする。
【課題を解決するための手段】
【０００８】
上記目的を達成するために請求項１の発明は、クロック信号に基いて動作する回路手段と、周波数変調されたクロック信号を発生する変調クロック発生手段とを備え、回路手段は、変調クロック発生手段の発生する周波数変調されたクロック信号に基いて動作する電子機器装置において、変調クロック発生手段の発生するクロック信号の周波数変調度を制御するクロック変調度制御手段を備え、クロック変調度制御手段は、本装置の電源投入後、変調クロック発生手段の発生するクロック信号の周波数変調度を連続的又は段階的に大きくするように制御するものである。
【０００９】
請求項２の発明は、請求項１に記載の電子機器装置において、クロック変調度制御手段は、本装置の電源投入後、本装置の動作が安定するまでの間は、変調クロック発生手段の発生するクロック信号の周波数変調度を０％にし、本装置の動作が安定した後に、変調クロック発生手段の発生するクロック信号の周波数変調度を連続的又は段階的に大きくするように制御するものである。
【００１０】
請求項３の発明は、請求項１に記載の電子機器装置において、画像を表示するための液晶パネルを備え、回路手段は、液晶パネルを駆動する液晶駆動回路であり、変調クロック発生手段の発生する周波数変調されたクロック信号に基いて動作して、液晶パネルを駆動するものである。
【発明の効果】
【００１１】
請求項１の発明によれば、電源投入後、変調クロック発生手段の発生するクロック信号の周波数変調度は連続的又は段階的に大きくなっていく。すなわち、電源投入後、装置の動作が安定しておらず、動作障害が発生し易い状態にあるときには、変調クロック発生手段の発生するクロック信号の周波数変調度が小さく、その周波数変調度が小さいクロック信号に基いて回路手段が動作し、一方、装置の動作が安定して、動作障害が発生し難い状態になった後には、変調クロック発生手段の発生するクロック信号の周波数変調度が大きくなり、その周波数変調度が大きいクロック信号に基いて回路手段が動作する。従って、装置の動作が安定していない状態（動作障害が発生し易い状態）において回路手段が周波数変調度の小さいクロック信号に基いて動作することにより、動作障害の発生が抑えられ、一方、装置の動作が安定した状態（動作障害の発生し難い状態）においてクロック信号の周波数変調度が大きいことにより、電磁波の放射雑音の低減効果が高められる。また、クロック信号の周波数変調度が連続的又は段階的に大きくなっていくため、クロック信号の周波数変調度が急激に変化することがなく、クロック信号の周波数変調度が変化することによる動作障害の発生も抑えられる。これにより、動作障害の発生を抑えつつ、電磁波の放射雑音をより一層低減することができる。
【００１２】
請求項２の発明によれば、装置の動作が安定していない状態において回路手段が周波数変調度０％のクロック信号に基いて動作することにより、動作障害の発生がより確実に抑えられる。これにより、動作障害の発生をより確実に抑えつつ、電磁波の放射雑音を低減することができる。
【００１３】
請求項３の発明によれば、液晶パネルに画像を表示する装置において、請求項１と同様の効果が得られる。
【発明を実施するための最良の形態】
【００１４】
以下、本発明を具体化した実施形態による電子機器装置について図面を参照して説明する。図１は、本実施形態による電子機器装置である液晶テレビの構成を示す。液晶テレビ１は、放送局から配信されるテレビジョン放送信号（以下、テレビ放送信号と略す）を受信して、テレビ放送信号に基く画像を表示すると共に、テレビ放送信号に基く音声を出力する装置である。
【００１５】
この液晶テレビ１は、クロック信号を用いて画像を表示するようになっており、画像を表示するために用いるクロック信号を周波数変調する（クロック信号の周波数を拡散させる）ことにより、電磁波の放射雑音を低減するようにしている。また、この液晶テレビ１は、液晶テレビ１の電源投入後、液晶テレビ１の動作が安定する前は、クロック信号の周波数変調度を小さくし、液晶テレビ１の動作が安定した後は、クロック信号の周波数変調度を大きくすることにより、動作障害の発生を抑えつつ、電磁波の放射雑音をより一層低減するようにしている。
【００１６】
液晶テレビ１は、チューナ２と、液晶駆動回路３と、液晶パネル４と、スピーカ５と、リモコン（リモートコントローラ）６と、リモコン受信部７と、液晶テレビ１の動作を制御する制御部８等を備える。
【００１７】
チューナ２は、制御部８による制御のもと、テレビ放送信号を受信し、その受信したテレビ放送信号を復調処理、Ａ／Ｄ変換処理、デコード処理等して、テレビ放送信号に基く画像データ及びテレビ放送信号に基く音声データを生成、出力する。液晶駆動回路３は、制御部８による制御のもと、液晶パネル４を駆動する。液晶パネル４は、制御部８による制御のもと、液晶駆動回路３によって駆動されることにより、画像を表示する。スピーカ５は、制御部８による制御のもと、音声を出力する。
【００１８】
リモコン６は、液晶テレビ１の電源オン／オフ、テレビ放送信号のチャンネル選局等、液晶テレビ１の各種動作を制御するために人に操作され、その操作に対応付けられた操作信号を無線信号によって送信する。リモコン受信部７は、リモコン６から送信された無線信号を受信して、その受信した無線信号に対応する受信信号を出力する。
【００１９】
制御部８は、周波数変調機能付きクロック発生回路であるＳＳＣＧ（spread spectrum clock generator）１１、画像処理回路１２、ＲＯＭ１３、及びＣＰＵ１４等を有している。
【００２０】
ＳＳＣＧ１１は、周波数変調されたクロック信号を発生して出力する。ＳＳＣＧ１１は、水晶振動子などの発振子によって一定周波数のクロック信号を生成し、その一定周波数のクロック信号に対して周波数を変調する（周波数を拡散する）処理を行うことにより、周波数変調された（周波数の拡散された）クロック信号を発生するようになっている。ＳＳＣＧ１１によって、周波数変調されたクロック信号を発生する変調クロック発生手段が構成されている。
【００２１】
画像処理回路１２は、ＣＰＵ１４による制御のもと、チューナ２から出力されるテレビ放送信号に基く画像データから、液晶パネル４に画像を表示するための画像信号を生成する。画像信号は、液晶パネル４に表示しようとする画像に対応した、液晶パネル４の各画素の表示輝度レベル（各画素を駆動する電圧値）を示す信号である。
【００２２】
また、画像処理回路１２は、ＣＰＵ１４による制御のもと、ＳＳＣＧ１１から出力されたクロック信号を液晶駆動回路３に供給すると共に、液晶パネル４に画像を表示するための画像信号（テレビ放送信号に基く画像データから生成した画像信号）を、この液晶駆動回路３に供給するクロック信号に同期させて、液晶駆動回路３に供給する。液晶駆動回路３に供給されるクロック信号は、液晶パネル４の各画素を画像信号の示す表示輝度レベルで駆動するタイミングを示す信号として（すなわち画像を表示するために）用いられる。
【００２３】
画像処理回路１２から液晶駆動回路３にクロック信号及び画像信号を供給することにより、そのクロック信号及び画像信号によって液晶駆動回路３が液晶パネル４の各画素を駆動し、液晶パネル４にテレビ放送信号に基く画像データによる画像が表示される。
【００２４】
すなわち、画像処理回路１２は、ＳＳＣＧ１１の発生する周波数変調されたクロック信号に基いて動作して、その周波数変調されたクロック信号及び画像信号を液晶駆動回路３に供給し、また、液晶駆動回路３は、ＳＳＣＧ１１の発生する周波数変調されたクロック信号に基いて動作して、その周波数変調されたクロック信号及び画像信号によって液晶パネル４を駆動し、これにより、液晶パネル４に画像が表示される。液晶駆動回路３及び画像処理回路１２によって、クロック信号に基いて動作する回路手段が構成されている。
【００２５】
ＲＯＭ１３は、液晶テレビ１の動作を制御するためのプログラムや各種データを記憶している。ＣＰＵ１４は、リモコン受信部７から出力される受信信号、及びＲＯＭ１３に記憶しているプログラムや各種データに基いて、液晶テレビ１の各種動作を制御する。
【００２６】
上記ＳＳＣＧ１１は、発生するクロック信号の周波数変調度が設定可能になっており、周波数変調度が設定されることにより、その設定された周波数変調度で周波数変調されたクロック信号を発生するようになっている。ＳＳＣＧ１１の周波数変調度（ＳＳＣＧ１１の発生するクロック信号の周波数変調度）は、ＣＰＵ１４によって設定される。
【００２７】
ＣＰＵ１４は、ＲＯＭ１３に記憶しているプログラムや各種データに基いて、ＳＳＣＧ１１の周波数変調度を設定して、ＳＳＣＧ１１の発生するクロック信号の周波数変調度を制御する。ＲＯＭ１３に記憶されているプログラムや各種データ及びＣＰＵ１４によって、ＳＳＣＧ１１の発生するクロック信号の周波数変調度を制御するクロック変調度制御手段が構成されている。
【００２８】
図２（ａ）（ｂ）、図３（ａ）（ｂ）、図４（ａ）（ｂ）、図５（ａ）（ｂ）は、各々、ＳＳＣＧ１１の発生するクロック信号、及びそのクロック信号の周波数スペクトラムを示す。ここで、ＳＳＣＧ１１の発生するクロック信号について説明する。ＳＳＣＧ１１の発生するクロック信号の周波数変調度とは、クロック信号の各パルスの立ち上がり間隔の変動の度合いであって、クロック信号の周波数の拡散の度合いである。
【００２９】
すなわち、周波数変調度が０％のクロック信号は、図２（ａ）（ｂ）に示すように、各パルスの立ち上がり間隔ｔ１、ｔ２、ｔ３、・・・を変動させない（ｔ１、ｔ２、ｔ３、・・・が一定（＝基準間隔ｔｃ）である（ｔ１＝ｔ２＝ｔ３＝・・・＝ｔｃ））信号であり、周波数ｆを拡散させない（ｆ＝１／ｔｃ）信号である。
【００３０】
これに対し、周波数変調度がＸ％のクロック信号は、各パルスの立ち上がり間隔ｔ１、ｔ２、ｔ３、・・・を、基準間隔ｔｃ（すなわち周波数変調度が０％のクロック信号の各パルスの立ち上がり間隔）に対して、±Ｘ％の範囲内（＋Ｘ％から−Ｘ％の範囲内）で変動させた信号であり、周波数ｆを各パルスの立ち上がり間隔ｔ１、ｔ２、ｔ３、・・・の変動によって拡散させた信号である。
【００３１】
本実施形態では、各パルスの立ち上がり間隔ｔ１、ｔ２、ｔ３、・・・は、基準間隔ｔｃに対して、１％単位で調整されるようになっている。
【００３２】
従って、本実施形態では、周波数変調度が１％のクロック信号は、図３（ａ）（ｂ）に示すように、各パルスの立ち上がり間隔ｔ１、ｔ２、ｔ３、・・・が、
ｔ１＝ｔｃ、
ｔ２＝ｔｃ×１．０１、
ｔ３＝ｔｃ、
ｔ４＝ｔｃ×０．９９
の順に変動して、この変動が繰り返される信号となり、また、周波数ｆが、
ｆ１＝１／（ｔｃ×１．０１）、
ｆ２＝１／ｔｃ、
ｆ３＝１／（ｔｃ×０．９９）、
に拡散された信号となる。周波数変調度が１％のクロック信号では、周波数ｆが拡散することにより、周波数変調度０％のクロック信号よりも周波数スペクトラムのピーク値Ｐが低下する。
【００３３】
また、周波数変調度が２％のクロック信号は、図４（ａ）（ｂ）に示すように、各パルスの立ち上がり間隔ｔ１、ｔ２、ｔ３、・・・が、
ｔ１＝ｔｃ、
ｔ２＝ｔｃ×１．０１、
ｔ３＝ｔｃ×１．０２、
ｔ４＝ｔｃ×１．０１、
ｔ５＝ｔｃ、
ｔ６＝ｔｃ×０．９９、
ｔ７＝ｔｃ×０．９８、
ｔ８＝ｔｃ×０．９９、
の順に変動して、この変動が繰り返される信号となり、また、周波数ｆが、
ｆ１＝１／（ｔｃ×１．０２）、
ｆ２＝１／（ｔｃ×１．０１）、
ｆ３＝１／ｔｃ、
ｆ４＝１／（ｔｃ×０．９９）、
ｆ５＝１／（ｔｃ×０．９８）、
に拡散された信号となる。周波数変調度が２％のクロック信号では、周波数変調度が１％のクロック信号よりも周波数ｆが拡散することにより、周波数変調度１％のクロック信号よりも周波数スペクトラムのピーク値Ｐが低下する。
【００３４】
また、周波数変調度が３％のクロック信号は、図５（ａ）（ｂ）に示すように、各パルスの立ち上がり間隔ｔ１、ｔ２、ｔ３、・・・が、
ｔ１＝ｔｃ、
ｔ２＝ｔｃ×１．０１、
ｔ３＝ｔｃ×１．０２、
ｔ４＝ｔｃ×１．０３、
ｔ５＝ｔｃ×１．０２、
ｔ６＝ｔｃ×１．０１、
ｔ７＝ｔｃ、
ｔ８＝ｔｃ×０．９９、
ｔ９＝ｔｃ×０．９８、
ｔ１０＝ｔｃ×０．９７、
ｔ１１＝ｔｃ×０．９８、
ｔ１２＝ｔｃ×０．９９、
の順に変動して、この変動が繰り返される信号となり、また、周波数ｆが、
ｆ１＝１／（ｔｃ×１．０３）、
ｆ２＝１／（ｔｃ×１．０２）、
ｆ３＝１／（ｔｃ×１．０１）、
ｆ４＝１／ｔｃ、
ｆ５＝１／（ｔｃ×０．９９）、
ｆ６＝１／（ｔｃ×０．９８）、
ｆ７＝１／（ｔｃ×０．９７）、
に拡散された信号となる。周波数変調度が３％のクロック信号では、周波数変調度が２％のクロック信号よりも周波数ｆが拡散することにより、周波数変調度２％のクロック信号よりも周波数スペクトラムのピーク値Ｐが低下する。
【００３５】
図６は、液晶テレビ１の電源投入後の経過時間とＳＳＣＧ１１の発生するクロック信号の周波数変調度との関係を示す。ＣＰＵ１４は、液晶テレビ１の電源投入後、ＳＳＣＧ１１の発生するクロック信号の周波数変調度を段階的に大きくするように制御する。このとき、ＣＰＵ１４は、液晶テレビ１の電源投入後、液晶テレビ１の動作が安定するまでの間は、ＳＳＣＧ１１の発生するクロック信号の周波数変調度を０％にし、そして、液晶テレビ１の動作が安定した後に、ＳＳＣＧ１１の発生するクロック信号の周波数変調度を段階的に大きくするように制御する。本実施形態では、ＣＰＵ１４は、液晶テレビ１の動作が安定するまでの間として、３０秒経過するまでの間は、ＳＳＣＧ１１の発生するクロック信号の周波数変調度を０％にし、そして、液晶テレビ１の動作が安定した後として、３０秒経過した後に、ＳＳＣＧ１１の発生するクロック信号の周波数変調度を３０秒間隔で１％、２％、３％に段階的に大きくするように制御する。
【００３６】
従って、ＳＳＣＧ１１の発生するクロック信号の周波数変調度は、図６に示すように、電源投入直後から３０秒までの間（液晶テレビ１の動作が安定するまでの間）は、０％になり、電源投入の３０秒後から６０秒後までの間は、１％になり、電源投入の６０秒後から９０秒後までの間は、２％になり、電源投入の９０秒後以後は、３％になる。ＳＳＣＧ１１の発生するクロック信号の周波数変調度は、このように、液晶テレビ１の電源投入後、段階的に大きくなっていく。
【００３７】
このような構成の液晶テレビ１によれば、液晶テレビ１の電源投入後、液晶テレビ１の動作が安定しておらず、動作障害が発生し易い状態にあるときには、ＳＳＣＧ１１の発生するクロック信号の周波数変調度が小さく（０％）、その周波数変調度が小さいクロック信号（周波数変調度が０％のクロック信号）に基いて画像処理回路１２及び液晶駆動回路３が動作する。一方、液晶テレビ１の動作が安定して、動作障害が発生し難い状態になった後には、ＳＳＣＧ１１の発生するクロック信号の周波数変調度が大きくなり（３％）、その周波数変調度が大きいクロック信号（周波数変調度が３％のクロック信号）に基いて画像処理回路１２及び液晶駆動回路３が動作する。
【００３８】
従って、液晶テレビ１の動作が安定していない状態（動作障害が発生し易い状態）において画像処理回路１２及び液晶駆動回路３が周波数変調度の小さいクロック信号に基いて動作することにより、動作障害の発生が抑えられ、一方、液晶テレビ１の動作が安定した状態（動作障害の発生し難い状態）においてクロック信号の周波数変調度が大きいことにより、電磁波の放射雑音の低減効果が高められる。これにより、動作障害の発生を抑えつつ、電磁波の放射雑音をより一層低減することができる。
【００３９】
しかも、クロック信号の周波数変調度が１％ずつ段階的に大きくなっていくため、クロック信号の周波数変調度が急激に変化（一瞬の間に大きく変化）することがなく、クロック信号の周波数変調度が変化することによる動作障害の発生も抑えられる。これにより、動作障害の発生をより確実に抑えつつ、電磁波の放射雑音を低減することができる。
【００４０】
また、液晶テレビ１の動作が安定していない状態において画像処理回路１２及び液晶駆動回路３が周波数変調度０％のクロック信号に基いて動作することにより、動作障害の発生がより確実に抑えられる。これにより、動作障害の発生をより確実に抑えつつ、電磁波の放射雑音を低減することができる。
【００４１】
なお、本発明は、上記実施形態の構成に限られず、種々の変形が可能である。例えば、ＳＳＣＧの発生するクロック信号の周波数変調度は、液晶テレビの電源投入直後から動作が安定するまでの間、０％でなくてもよい。すなわち、ＳＳＣＧの発生するクロック信号の周波数変調度は、例えば、液晶テレビの電源投入直後から動作が安定するまでの間は、１％になり、動作が安定した後に、１％から大きくなってもよく、また、例えば、液晶テレビの電源投入直後から動作が安定するまでの間は、０％から１％まで連続的又は段階的に大きくなり、動作が安定した後に、１％より大きくなってもよい。
【００４２】
つまり、ＳＳＣＧの発生するクロック信号の周波数変調度は、液晶テレビの電源投入直後から動作が安定するまでの間は小さく、動作が安定した後に大きくなるように、連続的又は段階的に変化するようになっていればよい。このようになっていても、液晶テレビの動作が安定していない状態（動作障害が発生し易い状態）において画像処理回路及び液晶駆動回路が周波数変調度の小さいクロック信号に基いて動作すると共に、液晶テレビの動作が安定した状態（動作障害の発生し難い状態）においてクロック信号の周波数変調度が大きいことにより、動作障害の発生を抑えつつ、電磁波の放射雑音をより一層低減することができる。
【００４３】
また、本発明は、液晶テレビに限られず、例えば、ＤＶＤプレイヤ等のＡＶ機器、パーソナルコンピュータ、画像を撮影するビデオカメラ等、他の電子機器装置にも適用可能である。
【図面の簡単な説明】
【００４４】
【図１】本発明の一実施形態に係る液晶テレビの概略構成を示す電気的ブロック構成図。
【図２】（ａ）は同液晶テレビのＳＳＣＧの発生する周波数変調度が０％のクロック信号の信号波形を示す図、（ｂ）は同周波数変調度が０％のクロック信号の周波数スペクトラムを示す図。
【図３】（ａ）は同液晶テレビのＳＳＣＧの発生する周波数変調度が１％のクロック信号の信号波形を示す図、（ｂ）は同周波数変調度が１％のクロック信号の周波数スペクトラムを示す図。
【図４】（ａ）は同液晶テレビのＳＳＣＧの発生する周波数変調度が２％のクロック信号の信号波形を示す図、（ｂ）は同周波数変調度が２％のクロック信号の周波数スペクトラムを示す図。
【図５】（ａ）は同液晶テレビのＳＳＣＧの発生する周波数変調度が３％のクロック信号の信号波形を示す図、（ｂ）は同周波数変調度が３％のクロック信号の周波数スペクトラムを示す図。
【図６】同液晶テレビの電源投入後の経過時間とＳＳＣＧの発生するクロック信号の周波数変調度との関係を示す図。
【図７】（ａ）は従来の周波数変調されていないクロック信号の信号波形を示す図、（ｂ）は同クロック信号の周波数スペクトラムを示す図、（ｃ）は従来の周波数変調されたクロック信号の信号波形を示す図、（ｄ）は同クロック信号の周波数スペクトラムを示す図。
【符号の説明】
【００４５】
１    液晶テレビ（電子機器装置）
２    チューナ
３    液晶駆動回路（回路手段）
４    液晶パネル
５    スピーカ
６    リモコン
７    リモコン受信部
８    制御部
１１    ＳＳＣＧ（変調クロック発生手段）
１２    画像処理回路（回路手段）
１３    ＲＯＭ（クロック変調度制御手段）
１４    ＣＰＵ（クロック変調度制御手段）
【図１】
2010039000.tif 000003
【図２】
2010039000.tif 000004
【図３】
2010039000.tif 000005
【図４】
2010039000.tif 000006
【図５】
2010039000.tif 000007
【図６】
2010039000.tif 000008
【図７】
2010039000.tif 000009